(57)【要約】【課題】発電所などにおける自然災害および単独災害に対する段階的発令のうちのどれを発するかを自動的に判定することができる非常時自動発令支援システムおよび非常時自動発令支援方法を提供する。【解決手段】非常時自動発令支援システム１は、非常時自動発令装置１０と、自然災害および単独災害が発生したことを知らせる情報を非常時自動発令装置１０に入力するための情報入力装置４０とを具備する。非常時自動発令装置１０は、上記情報に含まれている用語に該当する使用用語およびその重付けに基づいてこの情報の緊急度を算出する緊急度算出部１３と、緊急度算出部１３によって算出された緊急度に基づいて、段階的発令のうちのどれを発するかを判定する判定部１４とを備える。【選択図】図１
2009098945.tif 000002
【特許請求の範囲】
【請求項１】
非常時自動発令装置（１０）と、
自然災害および単独災害が発生したことを知らせる情報を前記非常時自動発令装置に入力するための情報入力装置（４０）と、
を具備する非常時自動発令支援システムであって、
前記非常時自動発令装置が、
前記情報に含まれている用語に該当する使用用語および該使用語の重付けに基づいて該情報の緊急度を算出する緊急度算出部（１３）と、
該緊急度算出部によって算出された緊急度に基づいて、段階的発令のうちのどれを発するかを判定する判定部（１４）とを備える、
ことを特徴とする、非常時自動発令支援システム。
【請求項２】
前記緊急度算出部が、平均重付けを算出して緊急度を算出し、
前記判定部が、前記緊急度算出部によって算出された平均重付けに応じて段階的発令のうちのどれを発するかを判定する、
ことを特徴とする、請求項１記載の非常時自動発令支援システム。
【請求項３】
前記非常時自動発令装置に接続された出力装置（５０）および責任者端末装置（６０）をさらに具備し、
前記非常時自動発令装置が、前記判定部による判定結果を前記出力装置および前記責任者端末装置に出力する出力部（１５）をさらに備える、
ことを特徴とする、請求項１または２記載の非常時自動発令支援システム。
【請求項４】
前記非常時自動発令装置が、
前記情報入力部から入力される情報の構文解析を行う構文解析部（１１）と、
該構文解析部から入力される構文解析結果に基づいて前記情報の意味を解析して、該情報に含まれている用語を抽出して前記緊急度算出部に出力する意味解析部（１２）とをさらに備える、
ことを特徴とする、請求項１乃至３いずれかに記載の非常時自動発令支援システム。
【請求項５】
前記非常時自動発令装置に接続されたデータベース編集装置（２０）と、
該データベース編集装置に接続された入力装置（３０）と、
をさらに具備し、
前記データベース編集装置が、前記入力装置から入力される使用用語と該使用用語の重付けとが定義された使用用語テーブルを作成するデータベース編集部（２１）と、
該データベース編集部によって作成された使用用語テーブルを使用用語データベース（２３）に格納するとともに、前記緊急度算出部から入力される用語に基づいて使用用語テーブルを検索して、該用語に該当する使用用語と該使用用語の重付けとを読み出して前記緊急度算出部に出力するデータベース制御部（２２）とを備える、
ことを特徴とする、請求項１乃至４いずれかに記載の非常時自動発令支援システム。
【請求項６】
前記重付けが、複数段階の重要度、複数段階の至命度および複数段階の出現頻度であることを特徴とする、請求項１乃至５いずれかに記載の非常時自動発令支援システム。
【請求項７】
自然災害および単独災害が発生したことを知らせる情報が情報入力装置（４０）を用いて非常時自動発令装置（１０）に入力されるステップ（Ｓ１１）と、
前記非常時自動発令装置の緊急度算出部（１３）が、前記情報に含まれている用語をデータベース編集装置（２０）に出力し、該データベース編集装置のデータベース制御部（２２）が、前記緊急度算出部から入力された用語に基づいて、使用用語データベース（２３）に格納されている使用用語テーブルを検索して、該用語に該当する使用用語および該使用用語の重付けを取得して、該取得した使用用語および重付けを前記緊急度算出部に出力するステップ（Ｓ１３）と、
前記緊急度算出部が、前記データベース制御部から入力された使用用語および重付けに基づいて前記情報の緊急度を算出して、該算出した緊急度を前記非常時自動発令装置の判定部（１４）に出力するステップ（Ｓ１４）と、
前記判定部が、前記緊急度算出部によって算出された緊急度に基づいて、段階的発令のうちのどれを発するかを判定するステップ（Ｓ１５）と、
を具備することを特徴とする、非常時自動発令支援方法。
【請求項８】
前記非常時自動発令装置の出力部（１５）が、前記判定部による判定結果を出力装置（５０）および責任者端末装置（６０）に出力するステップ（Ｓ１６）をさらに具備することを特徴とする、請求項７記載の非常時自動発令支援方法。
【請求項９】
前記非常時自動発令装置の構文解析部（１１）が、前記情報入力装置から入力された情報の構文解析を行うとともに、前記非常時自動発令装置の意味解析部（１２）が、前記構文解析部から入力される構文解析結果に基づいて前記情報の意味を解析して、該情報に含まれている用語を抽出し、該抽出した用語を前記緊急度算出部に出力するステップ（Ｓ１２）をさらに具備することを特徴とする、請求項７または８記載の非常時自動発令支援方法。
【発明の詳細な説明】
【技術分野】
【０００１】
本発明は、非常時自動発令支援システムおよび非常時自動発令支援方法に関し、特に、火力発電所などにおいて発生した自然災害および単独災害に対して防災体制を発令するのに好適な非常時自動発令支援システムおよび非常時自動発令支援方法に関する。
【背景技術】
【０００２】
電力会社などにおいては、たとえば、火力発電所に、台風、豪雨および地震などの自然災害や、火災、爆発および油漏洩などの災害（以下、「単独災害」という。）が発生したり発生することが予測されたりする場合に、このような非常災害対策への対応およびその復旧を速やかに行うことができるように、以下に一例を示すような発令基準を定めた非常災害対策規定を設けている。
（１）警戒体制の発令基準
強風（風速２０ｍ／ｓ以上を目安）、豪雨（雨量１５０ｍｍ／Ｄまたは４０ｍｍ／Ｈを目安）、津波、高潮または近隣災害の拡大などの異常事態により、発電所などに被害の発生が予測される場合。
（２）非常体制の発令基準
発電所などおよびその周辺に被害が発生し、発電所などが応急対策を実施する必要がある場合。
（３）特別非常体制の発令基準
発電所などおよびその周辺に甚大な被害が発生し、他機関（近隣事業所または近隣他企業など）の応援を必要とする場合。
【０００３】
なお、下記の特許文献１には、災害の状況を的確に把握して災害の状況に対応して正確で効率的に対処するために、入力手段の入力操作や各種センサからの信号の読み取りなどにて設定入力した被災害物の状態に基づき、被災害物の災害の状態および推移を判断・予測し、対応する災害に対処するための活動フローを設定し、設定した活動フローの災害対策のための表示、判断・予測した災害の状況およびその推移を液晶モニタや各コンピュータのモニタなどに表示する災害対策システムが開示されている。
【０００４】
下記の特許文献２には、発電所、工場、化学プラント、備蓄基地などでの災害発生を事前に予測して避難誘導させるために、発電所、工場、化学プラント、原子炉、備蓄基地などでの予め定められた計測項目を各種センサで計測し、災害予測演算部で計測値の経時的変化の有無を監視して災害の発生を予測したとき、事前に災害発生予測情報を出力し、最適避難誘導経路図の選択部が各エリアごとに最適な避難誘導経路図を、予め記憶された非難経路情報記憶装置から自動的に検索して、各エリアに設けられた表示装置に夫々の最適避難誘導経路図を表示する避難誘導システムが開示されている。
【０００５】
下記の特許文献３には、災害の発生を早期に発見し各エリアから非難所への安全で最適な避難誘導経路情報を表示させるために、発電所・工場などの各エリアに災害の発生を検出するセンサを配置して、監視した監視情報を情報記憶装置に記憶し、監視情報から災害発生情報を出力したとき、各エリアの被害有無情報および人の有無情報を収集し、被害無しのエリアについてさらに安全を確認するために、２次災害発生の可能性を予測した災害発生予測情報をＡＩ論理演算して求め、人の有無情報から人の居るエリアから避難所への２次災害発生の可能性のない最適な避難誘導経路図を非難経路情報記憶装置から検索して各エリアに報知する避難誘導システムが開示されている。
【特許文献１】特開２００３−７７０８４号公報
【特許文献２】特開２００３−１８７３６２号公報
【特許文献３】特開２００３−１９６７７０号公報
【発明の開示】
【発明が解決しようとする課題】
【０００６】
しかしながら、上記したような警戒体制、非常体制および特別非常体制といった段階的な発令基準に沿った発令（以下、「段階的発令」という。）をする場合には、どの段階の発令をするかは発令責任者（たとえば、発電所長）の判断に任されているが、その判断は様々な被害状況や危機管理上のリスクなどを予測勘案して決定されているため、判断を誤った場合には、応急対策や応援依頼のタイミングが遅れるといった問題がある。また、警報発令遅れによる人身事故や被災が社会的問題になっており、発令作業の自動化が要請されている。
【０００７】
本発明の目的は、発電所などにおける自然災害および単独災害に対する段階的発令のうちのどれを発するかを自動的に判定することができる非常時自動発令支援システムおよび非常時自動発令支援方法を提供することにある。
【課題を解決するための手段】
【０００８】
本発明の非常時自動発令支援システム（１）は、非常時自動発令装置（１０）と、自然災害および単独災害が発生したことを知らせる情報を前記非常時自動発令装置に入力するための情報入力装置（４０）とを具備する非常時自動発令支援システムであって、前記非常時自動発令装置が、前記情報に含まれている用語に該当する使用用語および該使用語の重付けに基づいて該情報の緊急度を算出する緊急度算出部（１３）と、該緊急度算出部によって算出された緊急度に基づいて、段階的発令のうちのどれを発するかを判定する判定部（１４）とを備えることを特徴とする。
ここで、前記緊急度算出部が、平均重付けを算出して緊急度を算出し、前記判定部が、前記緊急度算出部によって算出された平均重付けに応じて段階的発令のうちのどれを発するかを判定してもよい。
前記非常時自動発令装置に接続された出力装置（５０）および責任者端末装置（６０）をさらに具備し、前記非常時自動発令装置が、前記判定部による判定結果を前記出力装置および前記責任者端末装置に出力する出力部（１５）をさらに備えてもよい。
前記非常時自動発令装置が、前記情報入力部から入力される情報の構文解析を行う構文解析部（１１）と、該構文解析部から入力される構文解析結果に基づいて前記情報の意味を解析して、該情報に含まれている用語を抽出して前記緊急度算出部に出力する意味解析部（１２）とをさらに備えてもよい。
前記非常時自動発令装置に接続されたデータベース編集装置（２０）と、該データベース編集装置に接続された入力装置（３０）とをさらに具備し、前記データベース編集装置が、前記入力装置から入力される使用用語と該使用用語の重付けとが定義された使用用語テーブルを作成するデータベース編集部（２１）と、該データベース編集部によって作成された使用用語テーブルを使用用語データベース（２３）に格納するとともに、前記緊急度算出部から入力される用語に基づいて使用用語テーブルを検索して、該用語に該当する使用用語と該使用用語の重付けとを読み出して前記緊急度算出部に出力するデータベース制御部（２２）とを備えてもよい。
前記重付けが、複数段階の重要度、複数段階の至命度および複数段階の出現頻度であってもよい。
【０００９】
本発明の非常時自動発令支援方法は、自然災害および単独災害が発生したことを知らせる情報が情報入力装置（４０）を用いて非常時自動発令装置（１０）に入力されるステップ（Ｓ１１）と、前記非常時自動発令装置の緊急度算出部（１３）が、前記情報に含まれている用語をデータベース編集装置（２０）に出力し、該データベース編集装置のデータベース制御部（２２）が、前記緊急度算出部から入力された用語に基づいて、使用用語データベース（２３）に格納されている使用用語テーブルを検索して、該用語に該当する使用用語および該使用用語の重付けを取得して、該取得した使用用語および重付けを前記緊急度算出部に出力するステップ（Ｓ１３）と、前記緊急度算出部が、前記データベース制御部から入力された使用用語および重付けに基づいて前記情報の緊急度を算出して、該算出した緊急度を前記非常時自動発令装置の判定部（１４）に出力するステップ（Ｓ１４）と、前記判定部が、前記緊急度算出部によって算出された緊急度に基づいて、段階的発令のうちのどれを発するかを判定するステップ（Ｓ１５）とを具備することを特徴とする。
ここで、前記非常時自動発令装置の出力部（１５）が、前記判定部による判定結果を出力装置（５０）および責任者端末装置（６０）に出力するステップ（Ｓ１６）をさらに具備してもよい。
前記非常時自動発令装置の構文解析部（１１）が、前記情報入力装置から入力された情報の構文解析を行うとともに、前記非常時自動発令装置の意味解析部（１２）が、前記構文解析部から入力される構文解析結果に基づいて前記情報の意味を解析して、該情報に含まれている用語を抽出し、該抽出した用語を前記緊急度算出部に出力するステップ（Ｓ１２）をさらに具備してもよい。
【発明の効果】
【００１０】
本発明の非常時自動発令支援システムおよび非常時自動発令支援方法は、以下の効果を奏する。
（１）非常時自動発令装置１０が現場などからの情報に基づいてたとえば警戒体制、非常体制および特別非常体制のうちのどの体制を敷くかを自動的に判定するので、発電所などにおける自然災害および単独災害に対する段階的発令のうちのどれを発するかを自動的に判定することができる。
（２）使用用語およびその重付けに基づいて緊急度を算出するので、段階的発令のうちのどれを発するかを自動的に判定する際に、客観的な判定を行うことができる。
（３）非常時自動発令装置１０によって段階的発令のうちのどれを発するかを自動的に判定するので、人的原因による応急対策や応援依頼のタイミングの遅れ、および、警報発令遅れによる人身事故や被災などを防ぐことができる。
【発明を実施するための最良の形態】
【００１１】
発電所などにおける自然災害および単独災害に対する段階的発令のうちのどれを発するかを自動的に判定するという目的を、非常時自動発令装置の緊急度算出部において、自然災害および単独災害が発生したことを知らせる情報に含まれている用語に該当する使用用語およびその重付けに基づいて、この情報の緊急度を算出するとともに、非常時自動発令装置の判定部において、この算出された緊急度に基づいて、段階的発令のうちのどれを発するかを判定することにより実現した。
【実施例１】
【００１２】
以下、本発明の非常時自動発令支援システムおよび非常時自動発令支援方法の実施例について、図面を参照して説明する。
本発明の一実施例による非常時自動発令支援システム１は、図１に示すように、非常時自動発令装置１０と、非常時自動発令装置１０に接続されたデータベース編集装置２０と、データベース編集装置２０に接続された入力装置３０と、非常時自動発令装置１０に接続された情報入力装置４０、出力装置５０および責任者端末装置６０とを具備する。
ここで、非常時自動発令装置１０は、構文解析部１１と、意味解析部１２と、緊急度算出部１３と、判定部１４と、出力部１５とを備える。また、データベース編集装置２０は、データベース編集部２１と、データベース制御部２２とを備える。
【００１３】
データベース編集装置２０のデータベース編集部２１は、入力装置３０から入力される、発電所などにおける自然災害および単独災害に対する段階的発令のうちのどれを発するかを自動的に判定する際の参考となる用語（以下、「使用用語」という。）と使用用語の重付けとを定義した使用用語テーブルを作成するのに用いられる。ここで、重付けは、たとえば、重要度を１０段階に数値化し、至命度を５段階に数値化し、出現頻度を３段階に数値化したものである。
【００１４】
表１から表３は、動詞の使用用語テーブルの一例と、主語および目的語の使用用語テーブルの一例と、副詞および形容詞の使用用語テーブルの一例とを示す。
【表１】
2009098945.tif 000003
【表２】
2009098945.tif 000004
【表３】
2009098945.tif 000005
【００１５】
データベース制御部２２は、データベース編集部２１によって作成された使用用語テーブルを使用用語データベース（使用用語ＤＢ）２３に格納するとともに、後述する非常時自動発令装置１０の緊急度算出部１３から入力される用語に基づいて、使用用語データベース２３に格納されている使用用語テーブルを検索して、その用語に該当する使用用語とこの使用用語の重付けとを読み出して緊急度算出部１３に出力する。
【００１６】
情報入力部４０は、自然災害や単独災害が発生したことを知らせる情報を非常時自動発令装置１０に入力するためのものであり、端末装置、電話機およびファクシミリ装置などから構成される。
【００１７】
非常時自動発令装置１０の構文解析部１１は、情報入力部４０から文章または音声で入力される情報の構文解析を行う。
意味解析部１２は、構文解析部１１から入力される構文解析結果に基づいて、情報入力部４０から文章または音声で入力された情報の意味を解析して、この情報に含まれている動詞、主語、目的語、副詞および形容詞などの用語を抽出する。
【００１８】
緊急度算出部１３は、意味解析部１２によって抽出された用語をデータベース編集装置２０のデータベース制御部２２に出力して、これらの用語に該当する使用用語およびその重付けを取得するとともに、取得した使用用語および重付けに基づいてこの情報の緊急度を算出する。ここで、緊急度の算出は、たとえば、平均重付け（取得した重付けを加算したものを、取得した使用用語の数で割ったもの）を算出することにより行われる。
【００１９】
判定部１４は、緊急度算出部１３によって算出された緊急度（たとえば、平均重付け）に基づいて、警戒体制の発令、非常体制の発令および特別非常体制の発令（段階的発令）のうちのどれを発するかを判定する。ここで、この判定は、たとえば、平均重付けが１以上５未満であれば警戒体制を発令すると判定し、平均重付けが５以上〜１４未満であれば非常体制を発令すると判定し、平均重付けが１２以上であれば特別非常体制を発令すると判定することにより行われる。
【００２０】
出力部１５は、判定部１４による判定結果を出力装置５０および責任者端末装置６０に出力する。
【００２１】
次に、本実施例による非常時自動発令支援システム１の動作（本発明の一実施例による非常時自動発令支援方法）について、発電所の１号機において配管の損傷により微量のアンモニアガス漏れが発生した場合を例として、図２に示すフローチャートを参照して説明する。
【００２２】
「１号機において配管の損傷により微量のアンモニアガス漏れが発生した。」との情報を現場の者から通報があると、担当者は、情報入力装置４０を用いて、この情報を非常時自動発令装置１０に入力する（ステップＳ１１）。
【００２３】
非常時自動発令装置１０の構文解析部１１は、公知の構文解析技術を用いて、情報入力装置４０から入力された情報「１号機において配管の損傷により微量のアンモニアガス漏れが発生した。」の構文解析を行い、構文解析結果を意味解析部１２に出力する。
意味解析部１２は、公知の意味解析技術を用いて、構文解析部１１から入力される構文解析結果に基づいて上記情報の意味を解析し、この情報に含まれている動詞、主語、および形容詞の用語を抽出する。この例では、意味解析部１２は、たとえば、上記情報の意味を『１号機の配管が損傷して、微量のアンモニアのガスが漏洩した。』と解析して、この情報に含まれている動詞の用語「損傷」および「漏洩」と、主語の用語である「配管」、「アンモニア」および「ガス」と、形容詞の用語である「微量の」を抽出する。意味解析部１２は、抽出した用語を緊急度算出部１３に出力する（以上、ステップＳ１２）。
【００２４】
緊急度算出部１３は、意味解析部１２から入力される用語をデータベース編集装置２０に出力する。
データベース編集装置２０のデータベース制御部２２は、緊急度算出部１３から入力された用語に基づいて、使用用語データベース２３に格納されている使用用語テーブル（表１から表３参照）を検索して、これらの用語に該当する使用用語およびその重付けを取得して、取得した使用用語およびその重付けを緊急度算出部１３に出力する（以上、ステップＳ１３）。
この場合には、使用用語「損傷」およびその重付け（重要度＝１、致命度＝１、出現頻度＝１）と、使用用語「漏洩」およびその重付け（重要度＝５、致命度＝２、出現頻度＝２）と、使用用語「配管」およびその重付け（重要度＝１０、致命度＝７、出現頻度＝３）と、使用用語「アンモニア」およびその重付け（重要度＝５、致命度＝３、出現頻度＝２）と、使用用語「ガス」およびその重付け（重要度＝７、致命度＝３、出現頻度＝３）と、使用用語「微量の」およびその重付け（重要度＝２、致命度＝１、出現頻度＝２）とが取得される。
【００２５】
非常時自動発令装置１０の緊急度算出部１３は、データベース制御部２２から入力された使用用語および重付けに基づいて、この情報の緊急度を算出して、算出した緊急度を判定部１４に出力する（ステップＳ１４）。
緊急度は、たとえば、平均重付けを算出することにより算出される。すなわち、緊急度は、データベース制御部２２から入力された重付けの合計値（＝５９＝１＋１＋１＋５＋２＋２＋１０＋７＋３＋５＋３＋２＋７＋３＋３＋２＋１＋２）を、データベース制御部２２から入力された使用用語の数（＝６）で割った値（＝９．８）として算出される。
【００２６】
判定部１４は、緊急度算出部１３によって算出された緊急度（＝９．８）に基づいて、警戒体制の発令、非常体制の発令および特別非常体制の発令のうちのどれを発するかを判定して、判定結果を出力部１５に出力する（ステップＳ１５）。
この場合には、緊急度が９．８であるため、「非常体制の発令を発する」と判定される。
【００２７】
出力部１５は、判定部１４による判定結果（非常体制の発令）を出力装置５０および責任者端末装置６０に出力する（ステップＳ１６）。
これにより、担当者は、出力装置５０に表示された判定結果（非常体制の発令）を自動的に知ることができる。また、責任者は、責任者端末装置６０に表示された判定結果（非常体制の発令）に基づいて、関連部署に非常体制を敷くように指示したり、発電所の周辺地域の重要施設（消防、警察、自治体など）に速やかに連絡したりすることができる。
【００２８】
なお、担当者が、現場などからの情報に基づいて、この情報に含まれている用語を抽出して、抽出した用語を非常時自動発令装置１０に入力するようにすれば、構文解析部１１および意味解析部１２は必ずしも必要ではない。
また、データベース編集装置２０に、判定結果に基づいて関連部署および重要施設と通知方法とを取得することができる通知データベースを設けることにより、非常時自動発令装置１０の出力部１５が、判定結果をデータベース制御部２２に出力して、通知すべき関連部署および重要施設と通知方法とを取得して、出力装置５０および責任者端末装置６０に出力するようにしてもよい。
【産業上の利用可能性】
【００２９】
以上説明したように、本発明の非常時自動発令支援システムおよび非常時自動発令支援方法は、たとえば、火力発電所などにおいて発生した自然災害および単独災害に対して防災体制を発令するのに利用することができる。
【図面の簡単な説明】
【００３０】
【図１】本発明の一実施例による非常時自動発令支援システムの構成を示す図である。（実施例１）
【図２】図１に示した非常時自動発令支援システム１の動作を説明するためのフローチャートである。（実施例１）
【符号の説明】
【００３１】
１  非常時自動発令支援システム
１０  非常時自動発令装置
１１  構文解析部
１２  意味解析部
１３  緊急度算出部
１４  判定部
１５  出力部
２０  データベース編集装置
２１  データベース編集部
２２  データベース制御部
２３  使用用語データベース
３０  入力装置
４０  情報入力装置
５０  出力装置
６０  責任者端末装置
Ｓ１１〜Ｓ１６  ステップ
【図１】
2009098945.tif 000006
【図２】
2009098945.tif 000007